(57)【特許請求の範囲】
【請求項１】
建築物に設置されて配線工事された、複数の分岐ブレーカを備えた分電盤と、コンセントや照明器具などの配線端末との接続に関し、前記コンセントや照明器具などの配線端末が指定された分岐ブレーカに接続されているかを分岐ブレーカのハンドルを切りにして、分岐ブレーカの負荷端子以下の配線を電源側配線から切り離した状態でチェックする装置であって、
該装置は、
個々の分岐ブレーカに対応して接続が指定される前記コンセントや照明器具などの配線端末接続器ごとに接続される、各々異なる抵抗値の抵抗器とダイオード手段を直列もしくは並列に組み合わせたインピーダンス回路と、
前記分岐ブレーカの負荷側端子部に接続される、
前記インピーダンス回路における抵抗器の抵抗値を測定判別する回路と、前記ダイオード手段の極性を判別するランプを備えた回路と、これらの回路を択一的に選択するとともに電池と接続して配線に接続する切り替えスイッチとを備えた測定器と、からなり、
前記測定器によって、
前記配線端末毎の各極端子にダイオードの極性をそろえて接続された前記インピーダンス回路の抵抗値及び前記ダイオードの極性を測定することにより、コンセントや照明器具が、指定された分岐ブレーカに正しく接続されているかどうかを判断可能とする分電盤の分岐回路接続チェック装置。
【発明の詳細な説明】
【０００１】
【発明の属する技術分野】
本件の発明は、分電盤の分岐回路の接続チェック装置と方法に係わる。
【０００２】
【従来の技術】
従来、建物の電気設備工事の竣工検査などにおいて、分電盤の負荷側の配線接続チェックは、分電盤と接続配線端末に人が分かれて分岐ブレーカー１回路毎に声を掛け合いながら各々の配線が指定された分岐ブレーカーに接続されているかを、実際に電気を入れながらチェックしていた。
【０００３】
【発明が解決しようとする課題】
しかしながら、例えば建物が集合住宅などで、分電盤の設置数量がたくさんある場合には、それぞれの分電盤全てについて分岐ブレーカの配線接続をチェックしていくのは、非常に多くの時間と人手がかかる作業となっていた。本発明は、上記問題点を解決するために、分電盤に接続される配線について、分岐ブレーカと配線端末間の接続チェックが一人で行え、集合住宅などでも人手を省力化できるようなチェック装置と方法を提供することを目的とするものである。
【０００４】
【課題を解決しようとするための手段】
【０００５】
本発明は上記目的を達成するために、請求項１によるチェック装置は、建築物に設置されて配線工事された、複数の分岐ブレーカを備えた分電盤と、コンセントや照明器具などの配線端末との接続に関して、前記コンセントや照明器具などの配線端末が指定された分岐ブレーカに接続されているかを分岐ブレーカのハンドルを切りにして、分岐ブレーカの負荷端子以下の配線を電源側配線から切り離した状態でチェックする装置であって、該装置は、個々の分岐ブレーカに対応して接続が指定される前記コンセントや照明器具などの配線端末接続器ごとに接続される、各々異なる抵抗値の抵抗器とダイオード手段を直列もしくは並列に組み合わせたインピーダンス回路と、前記分岐ブレーカの負荷側端子部に接続される、前記インピーダンス回路における抵抗器の抵抗値を測定判別する回路と、前記ダイオード手段の極性を判別するランプを備えた回路と、これらの回路を択一的に選択するとともに電池と接続して配線に接続する切り替えスイッチとを備えた測定器と、からなり、前記測定器によって、前記配線端末毎の各極端子にダイオードの極性をそろえて接続された前記インピーダンス回路の抵抗値及び前記ダイオードの極性を測定することにより、コンセントや照明器具が、指定された分岐ブレーカに正しく接続されているかどうかを判断可能としたものである。
【０００６】
【発明の実施の形態】
以下、本発明の実施の形態について、図面を用いて詳細に説明する。
【０００７】
図１に本件発明のチェック装置の第一の実施例を示す。図１において１は分電盤で、２〜４は複数の分岐ブレーカ、８〜１０は配線で１１〜１３は配線の端末に設置されたコンセントや、照明器具などの配線端末接続器で、予め定められた配線図により個々の分岐ブレーカにどのコンセントや照明器具が接続するかが指定されており、工事終了後は、１１〜１３がそれぞれ正しく２〜４の分岐ブレーカに対応して接続されている必要がある。
【０００８】
１４〜１６は各々のコンセントや照明器具などの配線端末接続器１１〜１３に着脱可能なインピーダンス回路で、各々の分岐ブレーカに接続されるコンセントや照明器具などの配線端末接続器ごとにそれぞれインピーダンスの値を変えてある。１７はインピーダンス測定回路を備えた測定器である。
【０００９】
接続チェックの際には、次のように一人で作業が行える。まず、分岐ブレーカ２〜４をハンドルを切りにして、分岐ブレーカの負荷側端子５〜７以下の配線を電源側配線１８から切り離す。次に配線端末１１〜１３側に移動する。その後１４〜１６のインピーダンス回路を各々のコンセントや照明器具などの配線端末接続器に接続し、測定器を各々の分岐ブレーカの負荷側端子部５〜７に接続しインピーダンス回路のインピーダンスを測定して、インピーダンス値によりそのインピーダンス回路が接続された配線がどの分岐ブレーカに接続されているかを判断して接続をチェックする。
【００１０】
図２に、本件発明による第二の実施例を示す。図２において、図１と同一記号の個所は図１ですでに説明したものと同一であるので説明を省略する。２０〜２２は抵抗器２０１、２１１、２２１とダイオード手段２０２、２１２、２２２による組み合わせ回路で、２０１〜２２１の抵抗器の抵抗値はそれぞれ異なる値としてある。２４は抵抗値測定回路２４２と極性判定回路２４３と切り替えスイッチ２４１とからなる測定器で、チェック方法は図１に示す装置とほぼ同様であるが、まず、切替スイッチ２４１をａの側に設定し、抵抗値測定回路側にしておいて、配線が接続してある抵抗値を測定して、分岐ブレーカと配線端末との接続チェックを行い、次に切替スイッチ２４１をｂの側に設定し、極性判定回路側に切り替え、ランプが点灯するかどうかをチェックすることで、配線端末の電源側の電線が分岐ブレーカの電源側の極に正しく接続されている（配線端末接続器の左側の極が、分岐ブレーカの左側の極に接続されている）かどうかが分かる。ダイオード手段２０２〜２２２の極性を分岐ブレーカ２〜４の端子の左右方向に対し一定の基準でそろえておけば、確実に接続極性の判定が可能になる。
【００１１】
図３は、２０〜２２の抵抗器とダイオード手段の組み合わせ回路の別の実施例で、抵抗器２５１とダイオード手段２５２を直列に接続した例である。
【００１２】
図４は抵抗器とダイオード手段が図３に示す場合の測定器２６の例で、切替スイッチ２６１と抵抗値測定回路２６２と極性判別回路（この例ではランプ）２６３と電池２６４を図のように接続してある。この場合抵抗値測定回路２６２は流れる電流値で抵抗値を測定するような構成となる。
【００１３】
【発明の効果】
以上のように、本件発明によれば、コンセントや照明器具などの配線端末には、インピーダンス回路もしくは抵抗器とダイオード手段の組み合わせ回路の測定リード線を接続し、分電盤の分岐ブレーカの負荷端子側から、測定器で配線が接続されているインピーダンス回路、もしくは抵抗器とダイオード手段による、回路のインピーダンスもしくは抵抗値を測定することで、一人で各回路を順番にチェック作業が行え、チェック作業にたくさんの人手をかけずに容易に接続回路のチェックが行えるという効果がある。
【００１４】
また、コンセントや照明器具などの配線端末側に、インピーダンス回路もしくは抵抗器とダイオード手段の組み合わせ回路の測定リード線を接続することで、作業者は測定器による測定を分電盤側で一括して行うことができ、測定器を持って各々の配線端末に移動していく手間が省け、一箇所ですべての配線接続の状況を把握できるという効果がある。
【００１５】
さらに、ダイオード手段によるダイオードの接続極性を測定器でチェックすれば、配線とブレーカ端子の接続極性のチェックも容易に行えるという効果を有する。
【図面の簡単な説明】
【図１】  本件発明による第一の実施例の図
【図２】  本件発明による第二の実施例の図
【図３】  抵抗器とダイオード手段の別の実施例の図
【図４】  測定器の別の実施例の図
【符号の説明】
１    分電盤
２、３、４  分岐ブレーカ
５、６、７  分岐ブレーカの負荷側端子
８、９、１０  配線
１１、１２、１３  配線端末のコンセントなど
１４、１５、１６  インピーダンス回路
１７  測定器
２０、２１、２２、２５  抵抗器とダイオード手段の組み合わせ回路
２０１、２１１、２２１、２５１  抵抗器
２０２、２１２、２２２、２５２  ダイオード手段
２４、２６  測定器
２４１、２６１  切替スイッチ
２４２、２６２  抵抗値測定回路
２４３、２６３  極性判別回路
【図１】
0004656694.tif 000002
【図２】
0004656694.tif 000003
【図３】
0004656694.tif 000004
【図４】
0004656694.tif 000005